(57)【要約】【課題】アクチュエータの回動によって蛍光灯の芯線をコネクタ端子に電気的に接続でき、蛍光灯の芯線が屈曲・湾曲してもこれを的確に矯正でき、確実な電気的接続を可能にするバックライト用コネクタを提供する。【解決手段】蛍光灯３０が装着されるコネクタハウジング（コネクタ上部５０）と、コネクタ上部５０に回動自在に取り付けられたアクチュエータ８３と、コネクタ上部５０に取り付けられたコネクタ端子１００とを備え、コネクタ端子１００は、蛍光灯３０の芯線３１を直径方向外方から挟むように配置されたスプリング部１０６と、スプリング部１０６を芯線３１の直径方向内方に押圧するために形成された被押圧部１１０とを有し、コネクタ上部５０は、芯線収容部８８と、被押圧部収容部８１１とを有し、アクチュエータ８３は、その回動に伴って、芯線収容部８８に進入して芯線３１を押し下げる芯線押圧部８９と、被押圧部収容部８１１に進入して被押圧部１１０を押圧する端子押圧部８７とを有する。【選択図】図９
2008186617.tif 000002
【特許請求の範囲】
【請求項１】
バックライトとしての蛍光灯が装着されるコネクタハウジングと、装着された蛍光灯を押さえるため、上記コネクタハウジングに回動自在に取り付けられたアクチュエータと、装着された蛍光灯の芯線と接触するため、上記コネクタハウジングに取り付けられたコネクタ端子とを備えたバックライト用コネクタであって、
上記コネクタ端子は、上記蛍光灯の芯線を直径方向外方から挟むように配置されたスプリング部と、該スプリング部を上記芯線の直径方向内方に押圧するために形成された被押圧部とを有し、
上記コネクタハウジングは、上記蛍光灯の芯線を収容するように形成された芯線収容部と、上記コネクタ端子の被押圧部が突出するように形成された被押圧部収容部とを有し、  上記アクチュエータは、その回動に伴って、上記芯線収容部に進入して上記芯線を押し下げる芯線押圧部と、上記被押圧部収容部に進入して上記被押圧部を押圧する端子押圧部とを有する
ことを特徴とするバックライト用コネクタ。
【請求項２】
上記芯線押圧部及び上記端子押圧部は、上記端子押圧部が上記被押圧部を押圧するに先立って、上記芯線押圧部が上記芯線を押し下げ始めるように、上記アクチュエータに形成された請求項１に記載のバックライト用コネクタ。
【請求項３】
上記芯線収容部は、上記コネクタハウジングに形成された一対の内側壁と、これら内側壁の下部同士を繋ぐ底壁とから溝状に形成され、
上記コネクタ端子のスプリング部の一部は、溝状に形成された上記芯線収容部に臨み、  上記被押圧部収容部は、上記内側壁と、その内側壁から間隔を隔てて上記コネクタハウジングに形成された外側壁とから溝状に形成され、
上記コネクタ端子の被押圧部は、溝状に形成された上記被押圧部収容部の内部に突出された
請求項１又は２に記載のバックライト用コネクタ。
【請求項４】
上記アクチュエータは、閉方向に回動された際に、上記外側壁の外面に接する側壁部を有する請求項３に記載のバックライト用コネクタ。
【発明の詳細な説明】
【技術分野】
【０００１】
本発明は、液晶ディスプレイに用いられるバックライト用コネクタに係り、特に、バックライトとしての蛍光灯をアクチュエータを回動させて押さえるようにしたバックライト用コネクタに関する。
【背景技術】
【０００２】
例えば、テレビやパソコン等の液晶ディスプレイにあっては、そのディスプレイパネルの背面に、バックライトとして、直径が２．６乃至５．０ｍｍと言った極細の蛍光灯が、多数、平行に配設されている。これら蛍光灯に電力を供給するため、各蛍光灯から外部に引き出されているリード線（芯線）は、通常、電源に連なる端子線に或いは電源に連なる回路基板の導体に、直接半田付けされる。しかし乍ら、かかる芯線の半田付け工程は、限られたスペース内での細かな作業となるため、その仕上がり品質が不安定となりがちで、上記液晶ディスプレイの生産性を阻害する要因となり、特許文献１では、この点を、「発明が解決しようとする課題」としている。
【０００３】
その上で、この特許文献１では、バックライト用コネクタとして、バックライト（蛍光灯）が装着されるコネクタハウジングと、装着された蛍光灯を押さえるため、コネクタハウジングに開閉自在に取り付けられたアクチュエータと、装着された蛍光灯の芯線を挟持するための一対の接点部が形成されたコネクタ端子とを備え、且つ、アクチュエータに、このアクチュエータが開くとコネクタ端子を押圧して弾性変形させることで上記接点部の間隔を広げ、アクチュエータが閉じるとコネクタ端子から離間して弾性変形されたコネクタ端子が元に戻ることで上記接点部の間隔を狭めるカム部を設けた発明が記載されている。
【０００４】
この発明によれば、アクチュエータを開いて蛍光灯をコネクタハウジングに装着するときには、カム部によって、コネクタ端子に形成された一対の接点部の間隔が広げられた常態となっているため、それら接点部の間に蛍光灯の芯線を進入させることができ、その後、アクチュエータを閉じて蛍光灯を押さえると、カム部がコネクタ端子から離脱するため、接点部の間隔が元の状態まで狭まり、それら接点部により蛍光灯の芯線が挟持されて電気的接続が得られる。よって、液晶ディスプレイの生産性を阻害する要因となる半田付け作業が不要となる。
【０００５】
【特許文献１】特開２００５−２５９３７０号公報
【発明の開示】
【発明が解決しようとする課題】
【０００６】
ところで、上記発明においては、アクチュエータを開いて蛍光灯をコネクタハウジングに装着したとき、蛍光灯の芯線がコネクタ端子に形成された一対の接点部の間に位置付けられていなければ、アクチュエータを閉じたときそれら接点部の間に芯線を挟持できない。
【０００７】
すなわち、仮に、コネクタハウジングに装着する前の蛍光灯の芯線が上方若しくは下方等に屈曲・湾曲していたような場合には、かかる蛍光灯をコネクタハウジングに装着したとき、蛍光灯の芯線が一対の接点部の間の位置から外れ、アクチュエータを閉じた際に接点部が芯線を挟持できないという問題が生じ得る。ここで、蛍光灯は前述のように細く、その芯線は更に極細であるから、蛍光灯の移動中（取扱中）に芯線が何等かの障害物に軽く触れただけで、芯線は簡単に屈曲・湾曲してしまうため、上記問題が生じる可能性は高い。
【０００８】
本発明は、この点に鑑みて成されたもので、その目的は、半田付け作業をすることなく、アクチュエータの回動によって蛍光灯の芯線をコネクタ端子に電気的に接続させることができ、且つ、蛍光灯の芯線が屈曲・湾曲していたような場合であってもこれを的確に矯正でき、確実な電気的接続を可能にするバックライト用コネクタを提供することにある。
【課題を解決するための手段】
【０００９】
上記目的を達成すべく本発明は、バックライトとしての蛍光灯が装着されるコネクタハウジングと、装着された蛍光灯を押さえるため、上記コネクタハウジングに回動自在に取り付けられたアクチュエータと、装着された蛍光灯の芯線と接触するため、上記コネクタハウジングに取り付けられたコネクタ端子とを備えたバックライト用コネクタであって、上記コネクタ端子は、上記蛍光灯の芯線を直径方向外方から挟むように配置されたスプリング部と、該スプリング部を上記芯線の直径方向内方に押圧するために形成された被押圧部とを有し、上記コネクタハウジングは、上記蛍光灯の芯線を収容するように形成された芯線収容部と、上記コネクタ端子の被押圧部が突出するように形成された被押圧部収容部とを有し、上記アクチュエータは、その回動に伴って、上記芯線収容部に進入して上記芯線を押し下げる芯線押圧部と、上記被押圧部収容部に進入して上記被押圧部を押圧する端子押圧部とを有するものである。
【００１０】
上記芯線押圧部及び上記端子押圧部は、上記端子押圧部が上記被押圧部を押圧するに先立って、上記芯線押圧部が上記芯線を押し下げ始めるように、上記アクチュエータに形成されることが好ましい。
【００１１】
上記芯線収容部は、上記コネクタハウジングに形成された一対の内側壁と、これら内側壁の下部同士を繋ぐ底壁とから溝状に形成され、上記コネクタ端子のスプリング部の一部は、溝状に形成された上記芯線収容部に臨み、上記被押圧部収容部は、上記内側壁と、その内側壁から間隔を隔てて上記コネクタハウジングに形成された外側壁とから溝状に形成され、上記コネクタ端子の被押圧部は、溝状に形成された上記被押圧部収容部の内部に突出されることが好ましい。
【００１２】
上記アクチュエータは、閉方向に回動された際に、上記外側壁の外面に接する側壁部を有することが好ましい。
【発明の効果】
【００１３】
本発明によれば、半田付け作業をすることなく、アクチュエータの回動によって蛍光灯の芯線をコネクタ端子に電気的に接続させることができ、且つ、蛍光灯の芯線が屈曲・湾曲していたような場合であってもこれを的確に矯正でき、確実な電気的接続を可能にするバックライト用コネクタを提供できる。よって、液晶ディスプレイの生産性を改善することができる。
【発明を実施するための最良の形態】
【００１４】
以下、本発明の好適実施形態を添付図面に基づいて説明する。
【００１５】
図１は、液晶ディスプレイ（図示せず）の背面に配置される反射板１０を液晶ディスプレイ側から見た概略斜視図、図２は、図１の反射板１０を図１とは反対側から見た概略斜視図である。
【００１６】
反射板１０は、アルミ製のベース板１１と、その上に積層されたプラスチック製の白い表板１２とから成っている。反射板１０のベース板１１には、本実施形態に係るバックライト用コネクタ２０が複数対（本実施形態では３対）装着されている。１対のバックライト用コネクタ２０の間には、バックライトとしての蛍光灯３０がセットされている。なお、蛍光灯３０の数、即ちバックライト用コネクタ２０の対の数は、液晶ディスプレイの大きさ等によって適宜変更される。
【００１７】
図中、蛍光灯３０の長手方向をＸ方向とし、反射板１０の面内にてＸ方向と直交する方向をＹ方向とし、反射板１０の垂直方向をＺ方向とする。
【００１８】
反射板１０の裏面側（ベース板１１側）には、バックライト用コネクタ２０に電力を供給するための回路基板４０が、反射板１０からＺ方向に間隔を隔てて反射板１０と平行に配置されている。回路基板４０は、本実施形態では反射板１０の両側にバックライト用コネクタ２０の配列方向に沿って２枚配設されているが、図１及び図２において、説明の都合上、図中左方の回路基板４０のみを表示し、図中右方の回路基板４０を省略している。なお、２枚の回路基板４０は、一体化されていてもよい。
【００１９】
本実施形態に係るバックライト用コネクタ２０は、反射板１０に装着され蛍光灯３０を保持するコネクタ上部５０と、回路基板４０に装着され蛍光灯３０に電力を供給するためのコネクタ下部６０とから構成されている。これらコネクタ上部５０及びコネクタ下部６０から成るバックライト用コネクタ２０は、少なくともコネクタ上部５０を含む部分が特許請求の範囲のコネクタハウジングを構成する。
【００２０】
コネクタ上部５０は、Ｘ方向に所定間隔を隔てて対向された一対を一組として略平行にＹ方向に所定ピッチで複数（本実施形態では３組）反射板１０に配設されている。コネクタ下部６０は、コネクタ上部５０に対応させて、上記所定間隔と同間隔且つ上記所定ピッチと同ピッチで回路基板４０に配設されている。なお、図２では、説明の都合上、図中左方のコネクタ下部６０のみを表示し、図中右方のコネクタ下部６０を省略している。
【００２１】
図３は、図２の部分拡大図である。
【００２２】
コネクタ下部６０は、回路基板４０に固定されるベース部６５と、ベース部６５に対しＸ方向に移動可能なスライド部６１とを有している。スライド部６１は、略直方体状に形成されており、回路基板４０に形成された長方形状の取付孔４１に挿通されている。取付孔４１は、Ｘ方向の寸法がスライド部６１の同方向の寸法よりも大きく形成され、Ｙ方向の寸法がスライド部６１の同方向の寸法に合わせて形成されている。これにより、スライド部６１は、取付孔４１内にてＸ方向に移動可能、Ｙ方向に移動不能となっている。
【００２３】
ベース部６５とスライド部６１と間には、Ｕ字状に屈曲されたヒンジ部６４が介設されている。ヒンジ部６４は、スライド部６１がベース部６５に対してＸ方向に移動したとき、弾性的に変形する。ベース部６５、ヒンジ部６４及びスライド部６１は、本実施形態では樹脂等によって一体的に形成されているが、ベース部６５とスライド部６１とは電源端子６２を介して連結されるため、ヒンジ部６４を省略してベース部６５とスライド部６１とを別体としてもよい。
【００２４】
スライド部６１には、コネクタ上部５０に形成された嵌入部７４が挿入される嵌入孔６３が、Ｚ方向に形成されている。嵌入孔６３は、断面長方形状に形成されており、断面略長方形状に形成された嵌入部７４を、Ｙ方向に移動可能且つＸ方向に移動不能に受け入れる。すなわち、嵌入孔６３は、Ｙ方向の寸法が嵌入部７４の同方向の寸法よりも大きく形成され、Ｘ方向の寸法が嵌入部７４の同方向の寸法に合わせて形成されている。
【００２５】
図４は図２のコネクタ下部６０を単独で表示した斜視図、図５は図４のコネクタ下部６０を反対側から見た斜視図、図６は図４のコネクタ下部６０の縦断面斜視図である。
【００２６】
コネクタ下部６０は、上述したように、回路基板４０に固定されるベース部６５と、ベース部６５に対してＸ方向に移動可能なスライド部６１と、ベース部６５とスライド部６１とを接続するヒンジ部６４とを有する。スライド部６１には、回路基板４０の取付孔４１（図１２参照）に挿通される脚部６６が形成され、脚部６６には、回路基板４０の裏面に係合するフック６７が形成されている。フック６７は、その係合面６７１がＸ方向に沿って長く形成されており、スライド部６１を取付孔４１の縁部に沿ってＸ方向に移動可能にガイドする。他方、ヒンジ部６４は、Ｕ字状に屈曲された尾根の部分がＹ方向に沿っており、ベース部６５に対するスライド部６１のＸ方向の移動を許容する。
【００２７】
コネクタ下部６０には、電源端子６２が装着されている。電源端子６２は、ベース部６５に圧入されるベース圧入部６２ｃと、スライド部６１に圧入されるスライド圧入部６２ｄと、これらベース圧入部６２ｃとスライド圧入部６２ｄとの間に配置されてＵ字状に屈曲された可撓部６２ｅと、ベース圧入部６２ｃから延出され回路基板４０に半田付けされるリード部６２ｂと、スライド圧入部６２ｄから延出されスライド部６１に形成された嵌入孔６３の内面に突出して露出された断面く字状の接触部６２ａとからなっている。可撓部６２ｅは、その屈曲部の尾根の向きがヒンジ部６４の尾根の向きに対応しており、ベース部６５に対してスライド部６１がＸ方向に移動したとき、弾性的に変形する。
【００２８】
図７は図１に示すコネクタ上部５０及び蛍光灯３０の斜視図、図８は図７の斜視縦断面図、図９はアクチュエータ８３を閉方向に回動させ始めたときの斜視縦断面図、図１０はアクチュエータ８３を閉じたときの斜視縦断面図、図１１はコネクタ上部５０の分解斜視図である。
【００２９】
コネクタ上部５０は、反射板１０（図１２参照）にリジッドに固定される固定部７０と、蛍光灯３０を保持する保持部８０と、保持部８０を固定部７０に蛍光灯３０の長手方向（Ｘ方向）に移動可能に係合する滑り機構９０とを有する。また、コネクタ上部５０には、蛍光灯３０に電力を供給するため、保持部８０と固定部７０とを架け渡すように形成されたコネクタ端子１００が装着されている。
【００３０】
固定部７０は、固定部本体７１と、固定部本体７１に形成され反射板１０の取付孔１３（図１２参照）の四隅に当接するように挿通される４本の脚部７２と、脚部７２に形成され反射板１０の裏面に係合するフック７３と、固定部本体７１から反射板１０の裏面側（回路基板４０側）に向けてＺ方向に延出された嵌入部７４と有する。かかる固定部７０は、その脚部７２及びフック７３によって反射板１０の取付孔１３にリジッドに装着され、Ｘ方向、Ｙ方向及びＺ方向に移動不能となる。
【００３１】
保持部８０は、保持部本体８１と、保持部本体８１に逆オメガ字状に形成された蛍光灯受け部８２とを有し、保持部本体８１には、蛍光灯受け部８２に係合（装着）された蛍光灯３０を上方から覆うべく回動するアクチュエータ８３が回動自在に取り付けられている。蛍光灯受け部８２は、蛍光灯３０を所定の力で弾性的に保持する。アクチュエータ８３は、断面コ字状に形成され、その内面の両側部には、保持部本体８１に形成された凹部８４に係合することで、アクチュエータ８３を閉状態に保持するための凸部８５が形成されている。
【００３２】
滑り機構９０は、固定部７０にフック状に形成された係止部９１と、保持部８０に段差状に形成された被係止部９２と、固定部７０に形成された載置面９３と、保持部８０に形成された被載置面９４とを有する。載置面９３と被載置面９４とはＸＹ平面と平行に形成され、係止部９１の係止面９１１と被係止部９２の被係止面９２１とはＸ方向に沿って形成され、被係止面９２１の長さは係止面９１１の長さよりも長く形成されており、保持部８０が固定部７０に対してＸ方向にのみ移動可能となっている。
【００３３】
コネクタ端子１００は、保持部８０に支持され蛍光灯３０の芯線３１（図１４参照）に接触する第１接触部１０１と、固定部７０に支持され電源端子６２（図１２参照）に接触する第２接触部１０２と、第２接触部１０２と第１接触部１０１との間に介設された可撓部１０３とを有する。
【００３４】
第１接触部１０１は、保持部８０に固定される爪１０４を有する基部１０５と、基部１０５に形成され蛍光灯３０の芯線３１を弾性的に挟持するスプリング部１０６とを有し、保持部本体８１に形成された収容溝８６内に収容されている。スプリング部１０６は、芯線３１を挟んで配置された一対の第１弾性部１０７と、各第１弾性部１０７の先端から内側に折り返すように屈曲され実質的に芯線３１を挟持する第２弾性部１０８とを有し、第１弾性部１０７のバネ力と第２弾性部１０８のバネ力とが直列的に芯線３１に作用するダブルスプリング構造となっている。
【００３５】
第２弾性部１０８は、芯線３１を直径方向外方から挟むように配置され、自然状態では芯線３１から離間され、第１弾性部１０７が芯線３１の直径方向内方に撓まされることで芯線３１と接触するものである。
【００３６】
第１弾性部１０７と第２弾性部１０８との接続部には、芯線３１を内方にガイドするための斜面部１０９が形成されていると共に、アクチュエータ８３を閉じたときアクチュエータ８３の内面に形成された端子押圧部８７（図１４参照）に押されて各第１弾性部１０７を芯線３１の直径方向内方に撓ませるための被押圧部１１０が外方に突出させて形成されている。
【００３７】
第２接触部１０２は、回路基板４０と直交する板状、即ちＹＺ平面と平行な板状に形成され、その両側の縁部が固定部７０の固定部本体７１及び嵌入部７４に形成された溝７５に係合されている。この第２接触部１０２は、コネクタ上部５０の固定部７０の嵌入部７４をコネクタ下部６０（図１２参照）の嵌入孔６３に挿入した際に、コネクタ下部６０に装着された電源端子６２の接触部６２ａが押し付けられる。
【００３８】
可撓部１０３は、ＹＺ平面においてＳ字状に蛇行して形成されており、第１接触部１０１が第２接触部１０２に対してＸ方向に移動した際に、弾性的に変形する。
【００３９】
図１２は、反射板１０、回路基板４０、バックライト用コネクタ２０及び蛍光灯３０を示す斜視縦断面図である。
【００４０】
バックライト用コネクタ２０は、上述したように、反射板１０に装着されるコネクタ上部５０と、回路基板４０に装着されるコネクタ下部６０とからなる。
【００４１】
コネクタ下部６０は、回路基板４０に固定されるベース部６５と、回路基板４０に対してＸ方向に移動可能なスライド部６１とを有する。ベース部６５は、それに支持されたコネクタ端子６２のリード部６２ｂが回路基板４０のディップ孔４２に挿通されて半田付けされることで、回路基板４０にリジッドに固定される。スライド部６１は、その脚部６６が回路基板４０に形成された取付孔４１に挿通されてフック６７が回路基板４０の裏面に係合することで、回路基板４０に対してＸ方向にのみ移動自在となっている。ベース部６５に対してスライド部６１がＸ方向に移動する際、ベース部６５とスライド部６１との間に介設されたヒンジ部６４（図５参照）が弾性的に変形する。
【００４２】
コネクタ上部５０は、蛍光灯３０を保持する保持部８０と、反射板１０に固定される固定部７０とを有する。固定部７０は、その脚部７２が反射板１０に形成された取付孔１３に挿通されてフック７３が反射板１０の裏面に係合することで、反射板１０にリジッドに（Ｘ、Ｙ、Ｚ方向に移動不能に）固定される。その固定部７０には、保持部８０が上述した滑り機構９０によってＸ方向にのみ移動可能に係合されている。保持部８０が固定部７０に対してＸ方向に移動する際、保持部８０と固定部７０とを架け渡して形成されたコネクタ端子１００は、その可撓部１０３が弾性変形する。保持部８０には、アクチュエータ８３によって蛍光灯３０が保持される。
【００４３】
コネクタ上部５０の固定部７０に回路基板４０側に向けて突出して形成された嵌入部７４は、コネクタ下部６０のスライド部６１に形成された嵌入孔６３に、Ｚ方向に深さ自在に挿入されている。嵌入孔６３に挿入された嵌入部７４は、上述したように嵌入孔６３に対してＹ方向に移動可能、Ｘ方向に移動不能となっている。そして、コネクタ上部５０の嵌入部７４に支持されたコネクタ端子１００の第２接触部１０２に、コネクタ下部６０のスライド部６１に支持された電源端子６２の接触部６２ａが、押し付けられている。これにより、回路基板４０の電力が電源端子６２とコネクタ端子１００とを介して蛍光灯３０に供される。
【００４４】
図１３は、アクチュエータ８３を開いたバックライト用コネクタ２０及び蛍光灯３０を示す斜視図、図１４は、アクチュエータ８３を閉じたバックライト用コネクタ２０及び反射板１０の斜視横断面図である。
【００４５】
コネクタ上部５０の保持部８０には、蛍光灯３０の芯線３１を収容する芯線収容部８８が形成されている。芯線収容部８８は、本実施形態では、保持部８０に形成された一対の内側壁８８ａと、これら内側壁８８ａの下部同士を繋ぐ底壁８８ｂとから溝状に形成されている。一対の内側壁８８ａの間隔は、芯線３１の直径より大きく、芯線収容部８８内に芯線３１を余裕を持って収容できるようになっている。なお、芯線収容部８８は、必ずしも溝状である必要はない。
【００４６】
コネクタ端子１００のスプリング部１０６の一部（第２弾性部１０８）は、収容溝８６の開口から上記芯線収容部８８に臨んでいる。芯線収容部８８に臨む第２弾性部１０８は、収容溝８６の開口から、即ち内側壁８８ａの内面から芯線収容部８８に突出していてもよいが、芯線収容部８８を構成する内側壁８８ａと面一でもよく、或いは内側壁８８ａより没入した位置でもよい。要は、一対の第２弾性部１０８の間隔が、芯線３１の直径より大きく、芯線３１を余裕を持って収容できる間隔になっていればよい。
【００４７】
また、コネクタ上部５０の保持部８０には、コネクタ端子１００の被押圧部１１０を収容する被押圧部収容部８１１が形成されている。被押圧部収容部８１１は、本実施形態では、上記内側壁８８ａと、その内側壁８８ａからＹ方向に間隔を隔てて保持部８０に形成された外側壁８８ｃとから溝状に形成されているが、必ずしも溝状である必要はない。コネクタ端子１００の被押圧部１１０は、収容溝８６の開口から、即ち内側壁８８ａの外側面から上記被押圧部収容部８１１の内部に突出されている。
【００４８】
一方、アクチュエータ８３は、天井部８３ａと側壁部８８ｄとから断面コ字状に形成されており、その天井部８３ａの内面には、アクチュエータ８３を閉じたとき、芯線収容部８８に挿入されるリブ状の芯線押圧部８９と、被押圧部収容部８１１に挿入されるリブ状の端子押圧部８７とが形成されている。芯線押圧部８９及び端子押圧部８７を構成するリブの高さ・位置は、端子押圧部８７がコネクタ端子１００の被押圧部１１０押圧するに先立って、芯線押圧部８９が蛍光灯３０の芯線３１を押し下げ始めるように、設定されている。
【００４９】
詳しくは、芯線押圧部８９には、図８〜図１０に示すように、蛍光灯３０の芯線３１を実質的に押圧するための凸部８９ａが形成されている。芯線押圧部８９の凸部８９ａは、端子押圧部８７の押圧部分（端子押圧部８７が被押圧部１１０を押圧する部分）よりもアクチュエータ８３の回動軸から近い位置に形成され、及び／又は、上記押圧部分よりもアクチュエータ８３の天井面からのリブ高さが高く形成されており、アクチュエータ８３を閉方向に回動させて閉じる際、端子押圧部８７がコネクタ端子１００の被押圧部１１０を押圧するに先立って、蛍光灯３０の芯線３１を押し下げ始める。
【００５０】
すなわち、アクチュエータ８３が閉方向に回動して閉じる際、アクチュエータ８３の芯線押圧部８９の凸部８９ａが蛍光灯３０の芯線３１を押し下げて正規の位置（一対の第２弾性部１０８の間の位置）に収めた後に、アクチュエータ８３の端子押圧部８７がコネクタ端子１００の被押圧部１１０を押圧してスプリング部１０６を内方に撓ませるため、正規の位置に位置付けられた蛍光灯３０の芯線３１がスプリング部１０６の第２弾性部１０８によって的確に弾性的に挟持されることになる。
【００５１】
また、アクチュエータ８３の端子押圧部８７は、図１４に示すように、コネクタ端子１００の被押圧部１１０をＹ方向内側に押圧する際、被押圧部１１０から反力（スプリング部１０６の復元力）を受けてＹ方向外側に変形しようとするが、そこには、外側壁８８ｃが存在し、更にその外側にアクチュエータ８３の側壁部８８ｄが存在するので、端子押圧部８７がＹ方向外側に変形することはなく、被押圧部１１０を的確に押圧することが可能となる。
【００５２】
以上要するに、本実施形態に係るバックライト用コネクタ２０によれば、半田付け作業をすることなく、アクチュエータ８３の回動によって蛍光灯３０の芯線３１をコネクタ端子１００に電気的に接続させることができ、その上、蛍光灯３０の芯線３１が屈曲・湾曲していたような場合であってもこれを的確に矯正でき、確実な電気的接続が可能となる。
【００５３】
本実施形態に係るバックライト用コネクタ２０の組付方法及び蛍光灯３０の装着方法を述べる。
【００５４】
先ず、図１２に示すように、バックライト用コネクタ２０に蛍光灯３０を装着するに先立ち、反射板１０の取付孔１３に、保持部８０と固定部７０とが一体となったコネクタ上部５０の固定部７０の脚部７２を液晶ディスプレイ側（図１２の上側）から挿入し、脚部７２のフック７３を反射板１０の裏面に係止させる。これにより、固定部７０が反射板１０にリジッドに固定される。他方、回路基板４０の取付孔４１に、コネクタ下部６０のスライド部６１の脚部６６を液晶ディスプレイの反対側（図１２の下側）から挿入し、脚部６６のフック６７を回路基板４０の裏面に係合させ、スライド部６１を回路基板４０にＸ方向にのみ移動可能に装着する。また、回路基板４０のディップ孔４２に、コネクタ下部６０のベース部６５に支持された電源端子６２のリード部６２ｂを挿入し、そのリード部６２ｂを回路基板４０に配された導体（電源用）に半田付けする。以上の工程により初期準備が完了する。
【００５５】
次に、反射板１０の裏面に突き出たコネクタ上部５０の固定部７０の嵌入部７４を、回路基板４０に取り付けられたコネクタ下部６０のスライド部６１の嵌入孔６３に対向させ、反射板１０と回路基板４０とを平行に保ったままＺ方向に近接させる。これにより、嵌入部７４が嵌入孔６３に挿入され、嵌入部７４に支持されたコネクタ端子１００の第２接触部１０２が、スライド部６１に支持された電源端子６２の接触部６２ａに接触することになる。こうして、コネクタ上部５０とコネクタ下部６０とが機械的に一体化されると共に電気的にも一体化され、コネクタ端子１００には電源端子６２を介して回路基板４０から電力が供給されるようになる。
【００５６】
その後、図１３に示すように、アクチュエータ８３を立ち上げて開放し、保持部８０の蛍光灯受け部８２に蛍光灯３０を嵌め込み、その芯線３１を芯線収容部８８に位置付けする。その状態で、アクチュエータ８３を回動して閉じる。すると、図８〜図１０に示すように、アクチュエータ８３の閉回動が進行するに伴い、アクチュエータ８３の内面の天井部８３ａに形成された芯線押圧部８９が芯線収容部８８に挿入される。この芯線押圧部８９により、上述したように、蛍光灯３０の芯線３１が仮に上方に反り返っていたような場合であっても、その芯線３１が芯線押圧部８９によって芯線収容部８８の底部側に押圧され、その歪みが正される。
【００５７】
更に、アクチュエータ８３の閉回動が進行すると、図１２、図１４にも示すように、アクチュエータ８３の内面の天井部８３ａに芯線押圧部８９よりもアクチュエータ８３の回動軸から遠い位置に形成された端子押圧部８７が、被押圧部収容部８１１に挿入される。この端子押圧部８９により、被押圧部収容部８１１に突出されたコネクタ端子１００の被押圧部１１０が内側に押圧され、第２弾性部１０８同士の間に芯線３１が弾性的に第１弾性部１０７と第２弾性部１０８とのダブルスプリング効果で挟持される。その後、アクチュエータ８３の閉回動が更に進行すると、アクチュエータ８３の内面の両側部に形成された凸部８５（図１３参照）がコネクタ上部５０の保持部８０に形成された凹部８４に係合し、アクチュエータ８３が閉状態にロックされる。以上により、バックライト用コネクタ２０の組付及び蛍光灯３０の装着が完了する。
【００５８】
次に蛍光灯３０の熱伸縮の吸収及び各部品の取付誤差の吸収について述べる。
【００５９】
図１２において、コネクタ２０にセットされた蛍光灯３０が点灯されてその長手方向に熱膨張する或いは蛍光灯３０が消灯されてその長手方向に熱収縮すると、蛍光灯３０を保持する保持部８０が反射板１０にリジッドに固定された固定部７０に対して滑り機構９０により蛍光灯３０の長手方向であるＸ方向に移動する。このとき、コネクタ端子１００の可撓部１０３が撓み、保持部８０の固定部７０に対する移動が許容される。よって、蛍光灯３０の熱膨張が吸収され、蛍光灯３０に熱応力が生じることはない。また、コネクタ端子１００が損傷することもなく、蛍光灯３０への電力の供給が健全に維持される。
【００６０】
また、反射板１０に取り付けられたコネクタ上部５０の固定部７０の取付位置と、回路基板４０に取り付けられたコネクタ下部６０のベース部６５の取付位置とに、Ｘ方向及び／又はＹ方向の誤差が生じている場合、或いは反射板１０と回路基板４０との相対的な位置に、Ｘ方向及び／又はＹ方向の誤差が生じている場合、かかる誤差は、コネクタ上部５０の固定部７０に形成された嵌入部７４をコネクタ下部６０のスライド部６１に形成された嵌入孔６３に挿入する際に、次のように吸収される。
【００６１】
上記取付誤差の内のＹ方向の成分は、コネクタ上部５０の固定部７０に形成された嵌入部７４が、コネクタ下部６０のスライド部６１に形成された嵌入孔６３内をＹ方向に移動することで、吸収される。このとき、コネクタ下部６０のスライド部６１は、回路基板４０に対してＹ方向に移動しない。また、嵌入部７４が嵌入孔６３内をＹ方向に移動する際、嵌入部７４に支持された平板状の第２接触部１０２が、嵌入孔６３に突出された断面く字状の接触部６２ａに押し付けられた状態でＹ方向に摺動するので、適正な電気的接続が確保される。
【００６２】
上記取付誤差の内のＸ方向の成分は、コネクタ上部５０の嵌入部７４がコネクタ下部６０のスライド部６１をＸ方向に押し引きすることで吸収される。すなわち、コネクタ上部５０の固定部７０に形成された嵌入部７４がコネクタ下部６０のスライド部６１に形成された嵌入孔６３に挿入された状態で、そのスライド部６１が回路基板４０の取付孔４１に対してＸ方向に移動することで吸収される。このとき、スライド部６１は、回路基板４０に固定されたベース部６５に対してＸ方向に移動することになるが、かかる移動は、ベース部６５とスライド部６１とを弾性的に連結するヒンジ部６４（図５参照）が撓むと共に、電源端子６２の可撓部６２ｅが撓むことで許容される。また、コネクタ上部５０の嵌入部７４とコネクタ下部６０のスライド部６１とは一体的にＸ方向に移動するので、コネクタ端子１００の第２接触部１０２とコネクタ下部６０の接触部６２ａとの接触位置関係が変動することはなく、適正な電気的接続が確保される。
【００６３】
また、反射板１０と回路基板４０との相対的な位置に、Ｚ方向の誤差が生じている場合、かかる誤差は、コネクタ上部５０の固定部７０に形成された嵌入部７４をコネクタ下部６０のスライド部６１に形成された嵌入孔６３に挿入する際、その挿入深さの深浅を調節することによって吸収される。この調節時、嵌入部７４に支持された平板状の第２接触部１０２が、嵌入孔６３に突出された断面く字状の接触部６２ａに押し付けられた状態でＺ方向に摺動するので、適正な電気的接続が確保される。
【００６４】
また、図１４に示すように、蛍光灯３０の芯線３１がコネクタ端子１００のスプリング部１０６に挟持されるところ、そのスプリング部１０６は、第１弾性部１０７と第２弾性部１０８とからなるダブルスプリング構造となっているので、蛍光灯３０の直径の違いに因る芯線３１の直径の違いに柔軟に追従して各径の芯線３１を適正な押圧力で弾性的に挟持できる。
【００６５】
また、予め、反射板１０に複数のコネクタ上部５０を装着し、回路基板４０に複数のコネクタ下部６０を装着しておき、反射板１０と回路基板４０とを平行に近接させて各コネクタ上部５０と各コネクタ下部６０とを一体化させているので、コネクタ上部５０とコネクタ下部６０との一体化（組み立て）は複数同時に成されることになり、その組立性が向上する。
【００６６】
また、アクチュエータ８３を開き蛍光灯３０をコネクタ上部５０の蛍光灯受け部８２に嵌め込んでアクチュエータ８３を閉じることで、蛍光灯３０をコネクタ２０に機械的（メカニカル）に保持でき、且つ蛍光灯３０の芯線３１を電気的にコネクタ２０に接続できるので、蛍光灯３０をワンタッチでコネクタ２０にセットでき、その作業性は極めて簡便である。
【００６７】
本発明は、上述の実施形態に限定されるものではない。例えば、本実施形態では反射板１０と回路基板４０とをＺ方向に離間して配設したが、反射弁１０の裏面に回路基板４０を直接積層して設けてもよい。
【図面の簡単な説明】
【００６８】
【図１】液晶ディスプレイ（図示せず）の背面に配置される反射板を液晶ディスプレイ側から見た概略斜視図である。
【図２】図１の反射板を図１とは反対側から見た概略斜視図である。
【図３】図２の部分拡大図である。
【図４】図２のコネクタ下部を単独で表示した斜視図である。
【図５】図４のコネクタ下部を反対側から見た斜視図である。
【図６】図４のコネクタ下部の縦断面斜視図である。
【図７】図１に示すコネクタ上部及び蛍光灯の斜視図である。
【図８】図７に示すコネクタ上部及び蛍光灯の斜視縦断面図である。
【図９】図８のアクチュエータを回動させ始めたときのコネクタ上部及び蛍光灯の斜視縦断面図である。
【図１０】図９のアクチュエータを閉じたときのコネクタ上部及び蛍光灯の斜視縦断面図である。
【図１１】コネクタ上部の分解斜視図である。
【図１２】反射板、回路基板、バックライト用コネクタ及び蛍光灯を示す斜視縦断面図である。
【図１３】アクチュエータを開いたバックライト用コネクタ及び蛍光灯を示す斜視図である。
【図１４】アクチュエータを閉じたバックライト用コネクタ及び反射板の斜視横断面図である。
【符号の説明】
【００６９】
３０  蛍光灯
５０  コネクタハウジングの一部を成すコネクタ上部
８３  アクチュエータ
３１  芯線
１００  コネクタ端子
２０  バックライト用コネクタ
１０６  スプリング部
１１０  被押圧部
８８  芯線収容部
８１１  被押圧部収容部
８９  芯線押圧部
８７  端子押圧部
８８ａ  内側壁
８８ｂ  底壁
８８ｃ  外側壁
８８ｄ  側壁部
【図１】
2008186617.tif 000003
【図２】
2008186617.tif 000004
【図３】
2008186617.tif 000005
【図４】
2008186617.tif 000006
【図５】
2008186617.tif 000007
【図６】
2008186617.tif 000008
【図７】
2008186617.tif 000009
【図８】
2008186617.tif 000010
【図９】
2008186617.tif 000011
【図１０】
2008186617.tif 000012
【図１１】
2008186617.tif 000013
【図１２】
2008186617.tif 000014
【図１３】
2008186617.tif 000015
【図１４】
2008186617.tif 000016